(57)【要約】【課題】バッテリパックからの供給電力で動作する構成において移動操作性の悪化を抑制することの可能な集塵機を提供する。【解決手段】集塵機１は、バッテリパック４０からの供給電力で動作する。バッテリパック４０は、ヘッド部２０に設けられたバッテリ収容室５０に収容される。バッテリ収容室５０及びバッテリ収容室５０の内外を隔てる壁部５１は、上下方向においてフィルタ装置１５の上部開口よりも下側に延在し、かつ、モータ２３の駆動軸の径方向においてフィルタ装置１５の上部開口内部に位置する。【選択図】図１
2019208614.tif 000002
【特許請求の範囲】
【請求項１】
上下方向に延びる駆動軸を有するモータと、
前記モータを収容するヘッド部と、
前記ヘッド部の下方に設けられ、吸込口と、前記ヘッド部によって閉塞されるタンク開口と、前記吸気口から吸引された塵埃を収容する塵埃収容室と、を有するタンク部と、
前記タンク部の前記塵埃収容室内に設けられ、上方側にフィルタ開口が形成されるフィルタ内空間を内部に形成するフィルタ部と、
前記ヘッド部に設けられ、前記モータに電力を供給するバッテリパックを収容するバッテリ収容室と、を備え、
前記バッテリ収容室及び前記バッテリ収容室の内外を隔てる壁部の少なくとも一方は、前記上下方向において前記フィルタ開口よりも下側に延在し、かつ、前記駆動軸の径方向において前記フィルタ開口内部に位置する、集塵機。
【請求項２】
前記ヘッド部は、前記モータを収容するモータケーシングと、第１バッテリパックとの接続用の第１端子と、第２バッテリパックとの接続用の第２端子と、を有し、
前記第１及び第２端子は、前記駆動軸と垂直な第１方向に並び、前記第１方向において前記モータケーシングの両側に分かれて配置され、前記駆動軸及び前記第１方向と垂直な第２方向において前記モータケーシングと少なくとも部分的に重なるように配置される、請求項１に記載の集塵機。
【発明の詳細な説明】
【技術分野】
【０００１】
本発明は、バッテリパックの電力で動作する集塵機に関する。
【背景技術】
【０００２】
下記特許文献１は、着脱可能に装着したバッテリパックの電力で動作するコードレスタイプの集塵機を開示する。バッテリパックを電源とすることで、電源コードによる制約を受けることなく集塵機を駆動することができ、作業時の移動操作性が向上する。
【先行技術文献】
【特許文献】
【０００３】
【特許文献１】特開２０１５−２０８５７７号公報
【発明の概要】
【発明が解決しようとする課題】
【０００４】
集塵機の駆動時間を長く確保するためには、容量の大きなバッテリパックを用いる必要がある。大容量のバッテリパックは、重量及び体積が大きいことから、集塵機の重心及びサイズに及ぼす影響が大きい。バッテリパックにより集塵機の重心が高くなったりサイズが大きくなったりすると、集塵機の移動操作性が悪化する。
【０００５】
本発明はこうした状況を認識してなされたものであり、その目的は、バッテリパックからの供給電力で動作する構成において移動操作性の悪化を抑制することの可能な集塵機を提供することにある。
【課題を解決するための手段】
【０００６】
本発明のある態様は、集塵機である。この集塵機は、
上下方向に延びる駆動軸を有するモータと、
前記モータを収容するヘッド部と、
前記ヘッド部の下方に設けられ、吸込口と、前記ヘッド部によって閉塞されるタンク開口と、前記吸気口から吸引された塵埃を収容する塵埃収容室と、を有するタンク部と、
前記タンク部の前記塵埃収容室内に設けられ、上方側にフィルタ開口が形成されるフィルタ内空間を内部に形成するフィルタ部と、
前記ヘッド部に設けられ、前記モータに電力を供給するバッテリパックを収容するバッテリ収容室と、を備え、
前記バッテリ収容室及び前記バッテリ収容室の内外を隔てる壁部の少なくとも一方は、前記上下方向において前記フィルタ開口よりも下側に延在し、かつ、前記駆動軸の径方向において前記フィルタ開口内部に位置する。
【０００７】
前記ヘッド部は、前記モータを収容するモータケーシングと、第１バッテリパックとの接続用の第１端子と、第２バッテリパックとの接続用の第２端子と、を有し、
前記第１及び第２端子は、前記駆動軸と垂直な第１方向に並び、前記第１方向において前記モータケーシングの両側に分かれて配置され、前記駆動軸及び前記第１方向と垂直な第２方向において前記モータケーシングと少なくとも部分的に重なるように配置されてもよい。
【０００８】
なお、以上の構成要素の任意の組合せ、本発明の表現を方法やシステムなどの間で変換したものもまた、本発明の態様として有効である。
【発明の効果】
【０００９】
本発明によれば、バッテリパックからの供給電力で動作する構成において移動操作性の悪化を抑制することの可能な集塵機を提供することができる。
【図面の簡単な説明】
【００１０】
【図１】本発明の実施の形態に係る集塵機１の右側断面図。
【図２】図１のバッテリ収容室５０の周囲の拡大図。
【図３】集塵機１の平面図。
【発明を実施するための形態】
【００１１】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１２】
図１及び図３により、集塵機１における互いに直交する前後、上下、左右方向を定義する。集塵機１は、電動集塵機であって、タンク部１０と、本体としてのヘッド部２０と、を備える。タンク部１０及びヘッド部２０は、相互に分離可能である。
【００１３】
タンク部１０は、上部が開放された底付の筒状で、水平断面が図３に示すように略四角形（図示の例では丸みを帯びた正方形ないし長方形）となっている。タンク部１０は、前側の側面に吸込口１１を有し、吸込口１１に図示しないホースを着脱可能に接続できる。タンク部１０内には、吸込口１１から吸い込まれた空気が通過する際に塵埃（粉塵）を分離する（吸引した塵埃をろ過する）筒状のフィルタ装置１５が設けられる。
【００１４】
フィルタ部としてのフィルタ装置１５は、ゴム等の環状の弾性体１６と、外周面に細かい網目を有する布等で形成されるフィルタ１７と、を含む。弾性体１６の下部に、フィルタ１７の上部が一周に渡って縫い付けられて一体化される。弾性体１６は、タンク部１０とヘッド部２０とに挟持され、タンク部１０とヘッド部２０との間を気密に塞ぐ。フィルタ装置１５は、軸が上下方向と略平行な略円錐台側面形状であって、集塵ファン２５を囲む。
【００１５】
空気はフィルタ１７の外周面を通過することでフィルタ装置１５内部のフィルタ内空間１４に進入可能であるが、空気に含まれる塵埃はフィルタ１７の網目を通過できず、フィルタ１７の外周面でろ過され、フィルタ１７の外周面上に付着するか下方へ落下する。タンク部１０内の空間は、塵埃収容室１３であり、塵埃収容室１３のうちフィルタ装置１５の外側の空間に、フィルタ装置１５により分離された塵埃を収容する。
【００１６】
ヘッド部２０は、タンク部１０の上部に、例えば図示しないクランプ機構によって着脱可能に固定される。ヘッド部２０により、タンク部１０の上部開口、すなわちタンク開口が閉塞される。ヘッド部２０の上面には、集塵機１の持ち運び用のハンドル２７が設けられる。ヘッド部２０は、ヘッドハウジング２１の内部に、モータ２３と、モータ冷却用ファン２４と、集塵ファン２５と、を有する。
【００１７】
モータ２３は、その駆動軸が上下方向に延びるようにヘッド部２０内に配設される。モータ２３はここではブラシレスモータであり、モータ２３の上部には、モータ２３に駆動電流を供給するためのスイッチング素子を搭載したスイッチング素子基板２６が上下方向と略垂直に設けられる。モータ冷却用ファン２４と集塵ファン２５は、モータ２３の駆動軸に取り付けられ、モータ２３によって回転駆動される。モータ冷却用ファン２４は、モータ２３の直下に位置する軸流ファンであり、下方に向かう気流を発生する。集塵ファン２５は、モータ冷却用ファン２４の下方に設けられた遠心ファンである。
【００１８】
図３に示すように、ヘッド部２０の前面には、集塵機１の動作を使用者が切り替えるための操作パネル３０が設けられる。操作パネル３０は、メイン電源スイッチ３１と、強弱切替スイッチ３２と、単動／連動切替スイッチ３３と、電池残量表示スイッチ３４と、電池残量表示部３５と、を有する。なお、単動とは、集塵機１が単体で動作するモードであり、連動とは、集塵機１に図示しない丸のこ等の他の電動工具を電源ケーブルで接続して電源供給を可能にしておき、他の電動工具への電源供給を検出すると、すなわち他の電動工具が駆動されると集塵機１が駆動するモード（機能）である。図３に示すように、集塵機１は、着脱可能に装着した２つのバッテリパック４０を電源とするコードレスタイプであり、電池残量表示スイッチ３４を押すと、電池残量表示部３５に各バッテリパック４０の残量がＬＥＤ等により複数段階で表示される。
【００１９】
図１及び図３に示すように、ヘッド部２０内には、モータ２３を収容するモータケーシング２９が設けられる。図３に示すように、モータケーシング２９の左右両側には、それぞれ端子保持板５６及び所定数の端子５７が設けられる。モータケーシング２９から見て左右一方の端子保持板５６及び所定数の端子５７が第１端子保持板及び第１端子であり、他方の端子保持板５６及び所定数の端子５７が第２端子保持板及び第２端子である。左右の端子保持板５６は、互いに平行である。端子５７は、バッテリパック４０の端子との電気的接続用の端子であって、端子保持板５６に保持される。バッテリパック４０は、自身のレール部４１と、ヘッド部２０に設けられたレール受け部５５と、の係合により、上方からスライド装着され、これにより集塵機１側の端子５７とバッテリパック４０の端子とが互いに接触して互いに電気的に接続される。バッテリパック４０は、ラッチ操作部４２を操作しながら上方に引き上げて取り外すことができる。
【００２０】
バッテリパック４０は、ヘッド部２０に設けられたバッテリ収容室５０に収容保持される。２つのバッテリパック４０は、左右方向に並び、互いに前後及び上下方向位置が等しくかつ平行となるように装着される。バッテリ収容室５０は、壁部５１と蓋体５２とによって外部と隔てられた空間である。蓋体５２は、ヘッドハウジング２１に揺動可能に支持され、バッテリ収容室５０を開閉可能である。蓋体５２は、係止部材としてのフック５３によって閉鎖状態に係止可能である。
【００２１】
バッテリ収容室５０は、上下方向においてフィルタ装置１５の上部開口（以下「フィルタ開口」とも表記）よりも下側に延在し、かつ、モータ２３の駆動軸の径方向においてフィルタ開口内部に位置する。図３においてフィルタ装置１５を示す二点鎖線は、弾性体１６の上面の内縁、すなわちフィルタ開口の内縁を示す。本実施の形態では、バッテリ収容室５０の内外を隔てる壁部５１の外面及び内面が共に上下方向においてフィルタ開口よりも下側に延在する。図３に示すように、モータケーシング２９から見て左右一方の端子保持板５６及び所定数の端子５７と、他方の端子保持板５６及び所定数の端子５７とは、第１方向としての左右方向に並び、第２方向としての前後方向においてモータケーシング２９と少なくとも部分的に重なるように配置される。また、バッテリパック４０の前後方向位置と、モータケーシング２９の前後方向位置と、が互いに部分的に重なる。
【００２２】
集塵機１においてモータ２３を駆動すると、モータ冷却用ファン２４及び集塵ファン２５が回転駆動される。集塵ファン２５の回転により、タンク部１０内が負圧になり、吸込口１１に吸込み力が発生する。すると、塵埃が空気と共に吸込口１１からタンク部１０内に吸い込まれる。その後、フィルタ１７によって塵埃と空気は分離され、塵埃は塵埃収容室１３のうちフィルタ１７の外側の空間に溜められる。一方、空気は、フィルタ１７の外周面を通過してフィルタ内空間１４に入り、ヘッドハウジング２１の一部を構成するファンカバー２８の下面の図示しない開口部を通って集塵ファン２５に下方から吸い込まれ、モータ２３と隔てられた空間を抜けて外部に排気される。塵埃はフィルタ１７の外周面で捕集されて塵埃収容室１３内に溜められる。
【００２３】
本実施の形態によれば、下記の作用効果を奏することができる。
【００２４】
(1) バッテリパック４０及びバッテリ収容室５０がフィルタ開口よりも下側に延在するため、バッテリパック４０により集塵機１の重心が高くなること及び集塵機１のサイズが高さ方向に大きくなることを抑制でき、集塵機１の移動操作性の悪化を抑制できる。
【００２５】
(2) バッテリパック４０及びバッテリ収容室５０がモータ２３の駆動軸の径方向においてフィルタ開口内部に位置するため、バッテリパック４０により集塵機１のサイズが前記径方向に大きくなることを抑制でき、集塵機１の移動操作性の悪化を抑制できる。
【００２６】
(3) 端子保持板５６及び所定数の端子５７の組が、左右方向に並び、左右方向においてモータケーシング２９の両側に分かれて配置され、前後方向においてモータケーシング２９と少なくとも部分的に重なるように配置されるため、端子保持板５６及び所定数の端子５７の組が前後方向においてモータケーシング２９と重ならない場合と比較して、集塵機１の前後方向のサイズアップを抑制でき、また左右のバッテリパック４０の左右方向の距離が広がりラッチ操作部４２への指入れがしやすい。
【００２７】
以上、実施の形態を例に本発明を説明したが、実施の形態の各構成要素や各処理プロセスには請求項に記載の範囲で種々の変形が可能であることは当業者に理解されるところである。
【符号の説明】
【００２８】
１  集塵機、
１０  タンク部、１１  吸込口（ホース取付口）、１３  塵埃収容室、１４  フィルタ内空間、１５  フィルタ装置、１６  弾性体、１７  フィルタ、
２０  ヘッド部（本体）、２１  ヘッドハウジング、２３  モータ（ブラシレスモータ）、２４  モータ冷却用ファン、２５  集塵ファン、２６  スイッチング素子基板、２７  ハンドル、２８  ファンカバー、２９  モータケーシング、
３０  操作パネル、３１  メイン電源スイッチ、３２  強弱切替スイッチ（タクタイルスイッチ）、３３  単動／連動切替スイッチ、３４  電池残量表示スイッチ、３５  電池残量表示部、
４０  バッテリパック、４１  レール部、４２  ラッチ操作部、
５０  バッテリ収容室、５１  壁部、５２  蓋体、５３  フック、５５  レール受け部、５６  端子保持板、５７  端子
【図１】
2019208614.tif 000003
【図２】
2019208614.tif 000004
【図３】
2019208614.tif 000005